(57)【特許請求の範囲】
【請求項１】
設備機器が設置される設置場所において予め想定される浸水水位より高い位置に設けられ、前記設備機器を、浸水水位より高い位置に設定される退避位置に持ち上げる退避部材と、
前記退避手段で持ち上げられる前記設備機器をガイドするガイド部材と、
前記退避部材で持ち上げられた前記設備機器を、退避位置で保持する落下防止部材と、
前記設備機器に接続されて、前記設備機器の上方へ引き出されるケーブルを収納し、前記設備機器が上昇する動作で変形するケーブル保護部材と、
前記設備機器の上面に設けられ、前記ケーブル保護部材が固定される下部固定部材と、
前記ケーブル保護部材を、前記ガイド部材に固定する上部固定部材とを備え、
前記ケーブル保護部材は、前記設備機器が上昇する動作によって、前記設備機器の上面に誘導される形状に変形する
ことを特徴とする設備機器浸水対策システム。
【請求項２】
前記退避部材は、前記設備機器の上方に設けられ、前記設備機器を吊下して昇降させるクレーンで構成される
ことを特徴とする請求項１に記載の設備機器浸水対策システム。
【発明の詳細な説明】
【技術分野】
【０００１】
本発明は、洪水時等に配電盤等の設備機器の浸水を防止する設備機器浸水対策システムに関する。
【背景技術】
【０００２】
従来、洪水時浸水予想地域（ハザードマップエリア）内の電気所であれば、浸水の可能性があるという問題が生じている。この問題を解決するために、浸水対策として電気所の外柵に構内への浸水対策用の遮水壁の設置や、配電盤を設置する建物の扉やケーブル引き込み箇所等の浸水対策処理を行っているが、完全な防水とはならず、電気所構内の水位が上昇すると浸水が起こる可能性がある。
【０００３】
また、建物全体を折り畳み可能な防水壁で覆うことも考えられるが、日常の保守の妨げになる。更に、建物及び配電盤下部のケーブルビットを経路として防止壁の内側まで浸水する可能性がある。
【０００４】
一方、配電盤を設置する建物を２階建てとし、その２階部分に配電盤を設置したり、平屋構造の建物でも高床式にする等、配電盤の設置位置を予め想定し得る浸水水位以上とするのは、建物を建設する上で、費用上好ましいものではない。
【０００５】
同様に、配電盤の設置場所のみを想定し得る浸水水位以上とする場合、日常の保守を行うにあたり梯子や踏み台等の使用の頻度が増え、作業の手間が掛かるようになる。
【０００６】
このように、建物全体への様々な防水対策を実施しても、完全な防水とはならない。そして、一度浸水すると、配電盤としての機能を喪失し、復旧に莫大な費用と時間を必要とする。
【０００７】
そこで、配電盤等の設備機器を、防水カバーで覆う技術が提案されている（例えば、特許文献１参照）。また、配電盤等の扉に、浸水防止用のパッキンを設ける技術が提案されている（例えば、特許文献２参照）。
【先行技術文献】
【特許文献】
【０００８】
【特許文献１】特開２００８−５４４０３号公報
【特許文献２】特開２００９−５５６５１号公報
【発明の概要】
【発明が解決しようとする課題】
【０００９】
しかし、配電盤への防水対策を実施しても、完全な防水とするのは困難であり、一度浸水すると、配電盤としての機能を喪失し、復旧に莫大な費用と時間を必要とする。これに対し、ジャッキ等の持ち上げ装置を利用して配電盤全体を持ち上げることも考えられるが、浸水時には持ち上げ装置自体の浸水被害が予想される。持ち上げ装置が浸水すると、配電盤の落下等、別の障害が発生する可能性がある。
【００１０】
本発明は、このような課題を解決するためになされたもので、設備機器の浸水を確実に防止できるようにした設備機器浸水対策システムを提供することを目的とする。
【課題を解決するための手段】
【００１１】
このような課題を解決するため、本発明は、設備機器が設置される設置場所において予め想定される浸水水位より高い位置に設けられ、設備機器を、浸水水位より高い位置に設定される退避位置に持ち上げる退避部材と、退避手段で持ち上げられる設備機器をガイドするガイド部材と、退避部材で持ち上げられた設備機器を、退避位置で保持する落下防止部材と、設備機器に接続されて、設備機器の上方へ引き出されるケーブルを収納し、設備機器が上昇する動作で変形するケーブル保護部材と、設備機器の上面に設けられ、ケーブル保護部材が固定される下部固定部材と、ケーブル保護部材を、ガイド部材に固定する上部固定部材とを備え、ケーブル保護部材は、設備機器が上昇する動作によって、設備機器の上面に誘導される形状に変形する設備機器浸水対策システムである。
【００１２】
本発明では、浸水が予想される場合、設備機器が、浸水水位より高い位置に設定される退避位置に持ち上げられ、落下防止部材で保持される。設備機器を持ち上げる退避部材自体が、浸水水位より高い位置に設けられ、設備機器が設置された建物内まで浸水するような状況でも、設備機器及び設備機器を持ち上げている退避部材の浸水被害が防止される。
【００１３】
また、設備機器を持ち上げる動作で、設備機器がガイド部材でガイドされ、設備機器が周辺の他の機器に接触すること、及び、設備機器が転倒する等の障害の発生が防止される。
【発明の効果】
【００１４】
本発明では、予め想定される浸水水位より高い位置に設けられる退避部材を利用して、浸水が予想される場合に、設備機器を、浸水水位より高い位置に設定される退避位置に持ち上げることができる。
【００１５】
これにより、設備機器の浸水を確実に防止することができる。また設備機器の浸水が防止されることで、浸水被害による修理費用を低減することができる。更に、浸水被害による復旧時間を短縮することができる。また、安定した電力供給の早期回復を図ることができる。また、設備機器に接続されるケーブルは、設備機器の上方へ引き出されるので、ケーブルの浸水被害も防止することができる。更に、ケーブル保護部材は、設備機器が上昇する動作によって、ケーブルを設備機器の上面に誘導する形状に変形するので、設備機器を上昇させる動作で、ケーブルが損傷することを防止できる。
【図面の簡単な説明】
【００１６】
【図１】本実施の形態の設備機器浸水対策システムの一例を示す斜視図である。
【図２】本実施の形態の設備機器浸水対策システムにおけるガイド及び落下防止機構の一例を示す要部説明図である。
【図３】本実施の形態の設備機器浸水対策システムにおけるケーブル保護機構の一例を示す要部説明図である。
【図４】本実施の形態の設備機器浸水対策システムの動作の一例を示す斜視図である。
【発明を実施するための形態】
【００１７】
＜本実施の形態の設備機器浸水対策システムの構成例＞
以下、図面を参照して、本発明の設備機器浸水対策システムの実施の形態について説明する。
【００１８】
図１は、本実施の形態の設備機器浸水対策システムの一例を示す斜視図である。本実施の形態の設備機器浸水対策システム１Ａは、設備機器の一例である配電盤１０を昇降させるクレーン２と、クレーン２による配電盤１０の昇降動作をガイドするガイド部材３と、クレーン２で持ち上げられた配電盤１０を、任意の高さで固定する落下防止具４を備える。
【００１９】
クレーン２は退避部材の一例で、配電盤１０が設置される設置場所において予め想定される浸水水位より高い位置に設定される退避位置まで配電盤１０を持ち上げる動作に加えて、本例では、退避位置に持ち上げた配電盤１０を降ろす動作が行われる。
【００２０】
クレーン２は、配電盤１０が設置される建物において、配電盤１０の上部の天井に昇降機２０が設置され、予め想定される浸水水位より高い位置に設けられる。クレーン２は、昇降機２０により巻き上げ及び送り出されるワイヤ２１の先端にフック２２が取り付けられ、昇降機２０でワイヤ２１が巻き上げられることでフック２２が上昇し、昇降機２０でワイヤ２１が送り出されることでフック２２が下降する。
【００２１】
クレーン２は、配電盤１０の上面に取り付けられた複数の吊り下げ金具１１ａの間で張られたワイヤ１１ｂにフック２２が掛けられる。これにより、配電盤１０は、クレーン２により上方から吊下され、昇降機２０でワイヤ２１が巻き上げられることで、フック２２に掛けられた配電盤１０が上昇し、昇降機２０でワイヤ２１が送り出されることで、配電盤１０が下降する。
【００２２】
ガイド部材３は、配電盤１０に設けられたガイドローラ１２の移動をガイドすることで、配電盤１０の昇降動作をガイドするレール３０と、レール３０が固定されるフレーム３１を備える。
【００２３】
レール３０は、例えば、断面形状が略コ形のチャンネルと称される鋼材で構成される。レール３０は、配電盤１０が設置される建物の床に立設され、配電盤１０の昇降方向に沿って延在する。レール３０は、外形が直方体形状の配電盤１０の４つの角部に合わせて、配電盤１０の外側に配置され、４本のレール３０がフレーム３１で固定される。
【００２４】
フレーム３１は、例えば断面形状が略Ｌ形のアングルと称される鋼材で構成され、建物の床に設置された通常使用状態の配電盤１０の扉１０ａの開閉の妨げにならないように、配電盤１０より上側でレール３０の上部に接合される。
【００２５】
ガイド部材３は、各レール３０の上端間にフレーム３１が略水平に配され、各レール３０の下端が建物の床に固定されて、配電盤１０を囲う直方体形状に構成されることで、配電盤１０の昇降動作でレール３０に掛かる負荷に対してレール３０の形状が保持される。
【００２６】
図２は、本実施の形態の設備機器浸水対策システムにおけるガイド及び落下防止機構の一例を示す要部説明図である。配電盤１０は、４本のレール３０の配置に合わせて４つの角部に設けられた支持部１３に、レール３０と接するガイドローラ１２が、配電盤１０の昇降方向に沿って回転可能に設けられる。
【００２７】
配電盤１０は、図１に示すように、建物の床に設置された通常使用状態では、チャンネルベース１４に図示しない固定ボルトで固定されている。一方、配電盤１０は、建物の床から持ち上げる退避状態とするため、図示しない固定ボルトが外されると、配電盤１０の昇降動作でガイドローラ１２がレール３０でガイドされて回転し、配電盤１０の上下方向の移動が可能になると共に、水平方向の移動が４本のレール３０によって規制される。
【００２８】
落下防止具４は落下防止部材の一例で、配電盤１０の支持部１３に回転可能に設けられ、レール３０に設けられたラック４０に対して外れることが可能に噛み合う。ラック４０は、レール３０に沿って延在し、落下防止具４の爪部４２が噛み合う凹部４０ａが、矢印で示す配電盤１０の昇降方向に沿って複数箇所に設けられる。
【００２９】
落下防止具４は、上端が軸４１を支点として支持部１３に回転可能に支持され、下端にラック４０の凹部４０ａと噛み合う爪部４２が設けられる。落下防止具４は、電磁石を利用した図示しないソレノイド等の駆動手段の駆動力で回転して、爪部４２がラック４０の凹部４０ａに対して噛み合う動作、及び外れる動作が行われる。なお、落下防止具４は、手動で回転する構成を備えても良い。
【００３０】
落下防止具４は、軸４１を支点に爪部４２が外側に開く方向に回転することで、爪部４２がラック４０の凹部４０ａと噛み合う。落下防止具４は、爪部４２が外側へと開く方向に図示しないバネで付勢され、爪部４２とラック４０の噛み合いが保持される。
【００３１】
また、落下防止具４は、上端が軸４１で回転可能に支持されることで、配電盤１０が自重で下降する方向へ移動する動きによって、軸４１を支点に爪部４２が外側に開く方向に回転し、爪部４２とラック４０の噛み合いが保持される。
【００３２】
配電盤１０は重量が２００ｋｇ程度と重いため、４本のレール３０のそれぞれにラック４０を設けると共に、各レール３０に対応した支持部１３に落下防止具４を設ける構成としても良い。これに対して、配電盤１０の大きさ、重さ等に応じて、少なくとも１本のレール３０にラック４０を設けると共に、ラック４０が備えられたレール３０に対応した支持部１３に落下防止具４を設ける構成としても良い。
【００３３】
設備機器浸水対策システム１Ａは、配電盤１０に接続された制御ケーブル５を保護するケーブル保護具５０と、制御ケーブル５を配電盤１０に固定する下部固定用バー５１と、制御ケーブル５をガイド部材３に固定する上部固定用バー５２を備える。
【００３４】
制御ケーブル５は、配電盤１０の図示しない内部の機器と接続され、配電盤１０の上部から引き出される。制御ケーブル５は、配電盤１０での遠隔操作を行う信号等が伝送される。
【００３５】
図３は、本実施の形態の設備機器浸水対策システムにおけるケーブル保護機構の一例を示す要部説明図である。ケーブル保護具５０は、１本あるいは複数本の制御ケーブル５を収納して、配電盤１０の昇降動作に応じて変形可能に構成される。ケーブル保護具５０は、本例では、１本あるいは複数本の制御ケーブル５を収納可能な空間を有した複数の収納体５０ａが、図示しない軸あるいは凹状の部位と凸状の部位の係止等により回転可能に連結され、各収納体５０ａが連結された部位を支点に回転する。
【００３６】
ケーブル保護具５０は、各収納体５０ａの回転量が、制御ケーブル５の折り曲げ許容半径を考慮して決められ、制御ケーブル５の折り曲げ許容半径に応じた任意の形状に変形可能に構成される。
【００３７】
下部固定用バー５１は下部固定部材の一例で、配電盤１０の上面に設けられ、配電盤１０と共に昇降する。下部固定用バー５１は、配電盤１０の上部から引き出された制御ケーブル５を収納したケーブル保護具５０を、配電盤１０の上面に固定する。
【００３８】
上部固定用バー５２は上部固定部材の一例で、ガイド部材３のフレーム３１の間に掛け渡され、ガイド部材３で昇降動作がガイドされる配電盤１０の上方に設けられる。上部固定用バー５２は、制御ケーブル５を収納して下部固定用バー５１に固定されたケーブル保護具５０を、ガイド部材３の上部に固定する。
【００３９】
下部固定用バー５１と上部固定用バー５２との間の制御ケーブル５の長さは、配電盤１０が建物の床に設置された通常使用状態で、多少の弛みが生じる程度に設定される。ケーブル保護具５０は、配電盤１０が持ち上げられる動作によって、下部固定用バー５１と上部固定用バー５２との距離が狭くなることで、制御ケーブル５の折り曲げ許容半径に応じた形状で、かつ、ガイド部材３等に接触しない配電盤１０の上面に誘導される形状に変形するように構成される。
【００４０】
＜本実施の形態の設備機器浸水対策システムの動作例＞
図４は、本実施の形態の設備機器浸水対策システムの動作の一例を示す斜視図で、次に、各図を参照して、本実施の形態の設備機器浸水対策システムの動作例について説明する。
【００４１】
配電盤１０は、図１に示すように建物の床に設置された通常使用状態では、チャンネルベース１４に図示しない固定ボルトで固定されている。ガイド部材３は、通常使用状態にある配電盤１０に対して、配電盤１０の扉１０ａの開閉の妨げにならないように、レール３０及びフレーム３１の配置及び形状等が決められている。これにより、配電盤１０の通常使用状態では、メンテナンス等のための扉１０ａの開閉が何ら支障なく行える。
【００４２】
浸水が予想される場合、作業者は該当電気所に出向き、配電盤１０をチャンネルベース１４に固定している図示しない固定ボルトを外す。その後、クレーン２を操作して昇降機２０によりワイヤ２１を巻き上げる。昇降機２０でワイヤ２１が巻き上げられることで、フック２２に掛けられた配電盤１０が上昇する。このように、設備機器浸水対策システム１Ａでは、浸水が予想される場合に、作業者が該当電気所に出向き操作を行うため、浸水前における配電盤１０、配電盤１０の周囲及び建物等の確認が可能となる。
【００４３】
配電盤１０が上昇する動作で、配電盤１０に設けたガイドローラ１２がレール３０でガイドされて回転し、配電盤１０が上昇する方向への移動がガイドされると共に、配電盤１０の水平方向の移動が４本のレール３０によって規制される。レール３０の断面形状を略コ形とすることで、ガイドローラ１２がレール３０から外れることが防止される。これにより、配電盤１０が略垂直に上昇し、周囲に他の装置が設置されている場合に、配電盤１０が他の装置に衝突することが防止される。
【００４４】
配電盤１０に接続されている制御ケーブルを収納したケーブル保護具５０は、配電盤１０の上昇により、下部固定用バー５１と上部固定用バー５２との距離が狭くなることで、制御ケーブル５の折り曲げ許容半径に応じた形状で、かつ、ガイド部材３等に接触しない配電盤１０の上面に誘導される形状に変形する。これにより、配電盤１０を上昇させる動作で、制御ケーブル５が損傷することが防止される。
【００４５】
配電盤１０を所定の高さまで上昇させると、作業者はクレーン２を停止する。その後、落下防止具４を、爪部４２が外側に開く方向に軸４１を支点として回転させることで、爪部４２をラック４０の凹部４０ａと噛み合わせる。
【００４６】
これにより、図４に示すように、配電盤１０は、予め想定し得る浸水水位ｈ１より高い退避位置ｈ２で保持されて、クレーン２による制動が働かないような状況でも、退避状態から落下することが防止される。従って、配電盤１０が設置された建物内に水Ｗが浸入するような状況でも、配電盤１０が水Ｗに浸かることが防止され、浸水被害を防止することができる。
【００４７】
また、配電盤１０を持ち上げる装置であるクレーン２は、配電盤１０より更に上方に設置され、また、配電盤１０に接続される制御ケーブル５は、配電盤１０の上方へ引き出されるので、配電盤１０を持ち上げる装置、及び配電盤１０に接続される各種ケーブルの浸水被害も防止することができる。
【００４８】
なお、配電盤１０を退避状態から降ろす場合は、クレーン２が正常に作動する状態であることを確認して、落下防止具４を、爪部４２が内側に閉じる方向に軸４１を支点として回転させることで、爪部４２をラック４０の凹部４０ａから外す。その後、クレーン２を操作して昇降機２０によりワイヤ２１を送り出す。昇降機２０でワイヤ２１が送り出されることで、フック２２に掛けられた配電盤１０が下降する。
【００４９】
そして、配電盤１０を建物の床まで下降させた後、クレーン２を停止し、必要に応じてチャンネルベース１４に図示しない固定ボルトで固定する。
【００５０】
ここで、本実施の形態では、配電盤１０を持ち上げる退避部材として、配電盤１０を吊下するクレーン２を例に説明したが、レール３０にラックを設けると共に、配電盤１０側にラックと噛み合うピニオンと、ピニオンを駆動するモータ等を設けた自走式の退避部材としても良い。このような退避部材では、配電盤１０の昇降と共に昇降することで、配電盤１０が浸水水位より高い位置にあれば、退避部材も浸水位置より高い位置とすることができる。
【産業上の利用可能性】
【００５１】
本発明は、洪水時浸水予想地域内の電気所に設置される配電盤の他、他の設備機器に適用される。
【符号の説明】
【００５２】
１Ａ・・・設備機器浸水対策システム、１０・・・配電盤、１１ａ・・・吊り下げ金具、１１ｂ・・・ワイヤ、１２・・・ガイドローラ、１３・・・支持部、２・・・クレーン、２０・・・昇降機、２１・・・ワイヤ、２２・・・フック、３・・・ガイド部材、３０・・・レール、３１・・・フレーム、４・・・落下防止具、４０・・・ラック、４０ａ・・・凹部、４１・・・軸、４２・・・爪部、５・・・制御ケーブル、５０・・・ケーブル保護具、５０ａ・・・収納体、５１・・・下部固定用バー、５２・・・上部固定用バー
【図１】
0005936869.tif 000002
【図２】
0005936869.tif 000003
【図３】
0005936869.tif 000004
【図４】
0005936869.tif 000005